(57)【要約】【課題】容易に持ち運ぶことができるとともに長時間使用可能な防災機能を高めた防災帽子を提供する。【解決手段】  ６枚のフェルト片を繋ぎ止めることにより略半球状に構成されるフェルト層の表面を表生地１２ｂ及び裏面を裏生地で覆うことにより形成されるクラウン部１２を有する防災帽子１１において、前記フェルト片、表生地１２ｂ及び裏生地を難燃性の繊維から構成した。【選択図】      図１
2006283252.tif 000002
【特許請求の範囲】
【請求項１】
複数のフェルトを繋ぎ止め、該フェルトの表面を生地で覆うことにより形成されるクラウン部を有する防災帽子において、
前記フェルト及び生地は難燃性の繊維から構成されている防災帽子。
【請求項２】
前記フェルトは厚さ１０ｍｍ〜２０ｍｍである請求項１記載の防災帽子。
【請求項３】
前記難燃性の繊維は難燃性のポリマーを共重合させたアクリル系合成繊維である請求項１又は請求項２記載の防災帽子。
【請求項４】
前記フェルトは１ｍ2当たり２００〜４００ｇである請求項２又は請求項３記載の防災帽子。
【請求項５】
前記クラウン部は複数の略三角形状のフェルト片が繋ぎ止めることにより略半球状に構成されるとともに該クラウン部の開口端部又はその近傍に難燃性の繊維よりなるフェルトから構成される鍔部が繋ぎ止められている請求項１から請求項４のいずれか一項記載の防災帽子。
【発明の詳細な説明】
【技術分野】
【０００１】
本発明は、防災帽子に係り、詳しくは難燃性の繊維により構成される防災機能を高めた防災帽子に関する。
【背景技術】
【０００２】
従来より、難燃性の素材により構成され頭部に装着する布地として、特許文献１に記載される防災頭巾が知られている。かかる防災頭巾は、略四角形状の難燃性の布地を重ね合わせ、袋状に縫い合わせることにより作成される。そして、防災頭巾は災害時に開口部より頭部、首部、肩部及び顔の一部を覆うことにより使用される。
【特許文献１】特開２００２−１６５８９５号公報
【発明の開示】
【発明が解決しようとする課題】
【０００３】
ところが、上記のように構成された防災頭巾は、頭部から肩部までを覆うよう構成されているため大きさが大きく容易に持ち運ぶことが困難であった。そのため、防災頭巾は防災頭巾の収納場所の近くにいる場合にしか容易に装着できないという問題があった。また、防災頭巾は重量も重いため短時間しか着用できないという問題があった。
【０００４】
本発明は、従来技術の上記問題を解決するためになされたもので、その目的は、容易に持ち運ぶことができるとともに長時間使用可能な防災機能を高めた防災帽子を提供することにある。
【課題を解決するための手段】
【０００５】
請求項１に記載される防災帽子は、複数のフェルトを繋ぎ止め、該フェルトの表面を生地で覆うことにより形成されるクラウン部を有する防災帽子において、前記フェルト及び生地は難燃性の繊維から構成されている。
【０００６】
請求項２に記載される発明は、請求項１記載の防災帽子において、前記フェルトは厚さが１０ｍｍ〜２０ｍｍである。
請求項３に記載される発明は、請求項１又は請求項２記載の防災帽子において、前記難燃性の繊維は難燃性のポリマーを共重合させたアクリル系合成繊維である。
【０００７】
請求項４に記載の発明は、請求項２又は請求項３記載の防災帽子において、前記フェルトは１ｍ2当たり２００〜４００ｇである。
請求項５に記載される発明は、請求項１から請求項４のいずれか一項記載の防災帽子において、前記クラウン部は略三角形状の複数のフェルト片が繋ぎ止めることにより略半球状に構成されるとともに該クラウン部の開口端部又はその近傍に難燃性の繊維よりなるフェルトから構成される鍔部が繋ぎ止められている。
【発明の効果】
【０００８】
本発明によれば、容易に持ち運ぶことができるとともに長時間使用可能な防災機能を高めた防災帽子を提供することができる。
【発明を実施するための最良の形態】
【０００９】
以下、本発明を具体化した通学用防災帽子の一実施形態を図１〜図６にしたがって説明する。
図１〜６に示されるように、通学用防災帽子（以下、単に「防災帽子」とする）１１はクラウン部１２及び鍔部１３より構成される。クラウン部１２は裏面において毛髪部を含む頭部と覆うように略半球状に構成される。クラウン部１２は内層に所定の厚みを有するフェルト（繊維を縮絨させシート状にしたもの）層１２ａ及びそのフェルト層１２ａの表面と裏面をそれぞれ覆う表生地１２ｂと裏生地１２ｃにより構成される。クラウン部１２を構成するフェルト層１２ａは略三角形状の６つのフェルト片１２ｄにより構成される。
【００１０】
フェルト層１２ａを構成するフェルト片１２ｄの厚み（ｔ）は好ましくは１０ｍｍ〜２０ｍｍであり、より好ましくは１４〜１６ｍｍであり、特に好ましくは１５ｍｍである。フェルトの厚みが１０ｍｍより薄いと外部からの衝撃を吸収することができない。また、フェルトの厚みが２０ｍｍより厚いとフェルト同士の縫製作業が困難となるとともに防災帽子全体の柔軟性（変形性）が低下する。フェルトの重量は好ましくは１ｍ2当たり２００〜４００ｇであり、より好ましくは１ｍ2当たり２５０〜３５０ｇである。フェルトの重量が１ｍ2当たり２００以下であると外部からの衝撃を十分に吸収することができない。また、フェルトの重量が１ｍ2当たり４００以上であると重量感が増加し長時間使用することが困難となる。
【００１１】
フェルト層１２ａ、表生地１２ｂ及び裏生地１２ｃは難燃性の繊維から構成される。ここでいう難燃性の繊維とは自己消火性（熱源と接しない限り継続的に燃え広がらない性質）を有する繊維（防炎性繊維）を言う。例えば、限界酸素濃度ＬＯＩ値（その素材が燃えるために必要とされる酸素濃度）が２６以上の繊維が挙げられる。難燃性繊維として、それ自体難燃性を有する繊維、難燃性を付与するために難燃性の繊維と非難燃性の繊維を共重合した繊維、ハロゲン化物等の難燃剤を添加することにより難燃性を付与した繊維及びリン系化合物等の難燃剤で後処理することにより難燃性を付与した繊維等が挙げられる。また、それらの繊維を他の繊維と混紡することにより全体として難燃性を有する複合繊維であってもよい。
【００１２】
難燃性繊維の具体例として、アラミド繊維、ポリクラール繊維、ポリ塩化ビニル繊維、ポリ塩化ビニリデン繊維、難燃性のポリマーを共重合させたアクリル系合成繊維、綿やレーヨン等のセルロース系の繊維の表面にリン系難燃剤を付着させた繊維等が挙げられる。これらの難燃性繊維は単独で使用してもよいし、二種以上を組み合わせて使用してもよい。これらの難燃性繊維の中でも、質感、柔軟性が優れ、入手のし易さから、好ましくは難燃性のポリマーを共重合させたアクリル系合成繊維が使用される。
【００１３】
また、難燃性のポリマーを共重合させたアクリル系合成繊維としてモダクリル繊維が挙げられる。モダクリル繊維とは３５〜８５重量％アクリロニトリルと塩化ビニル、塩化ビニリデン等の難燃性ポリマーと共重合体させた繊維である。モダクリル繊維として、好ましくはアクリロニトリル４０重量％以上、塩化ビニル及び／又は塩化ビニリデン２０〜６０重量％とから構成され、スルホン酸基含有モノマーを５重量％以下、難燃剤として三酸化アンチモンを１〜２５重量％含むものが挙げられる。塩化ビニル及び／又は塩化ビニリデンが２０重量％未満では優れた難燃性は得られず、６０重量％を超えると耐熱性、強度等が低下するとともにそれ以上の難燃性の向上も得られない。三酸化アンチモンが１重量％未満では難燃性は十分でなく、また２５重量％を超えれば物性が低下するとともにそれ以上の難燃性の向上も得られない。難燃剤として三酸化アンチモン以外に五酸化アンチモン、酸化スズ、酸化マグネシウム等が使用されうる。
【００１４】
鍔部１３は環状に且つ下方に拡径方向にテーパ状に構成され、その上端部においてクラウン部１２の頭部を入れる開口端部に取り付けられる。鍔部１３もクラウン部１２と同様に内層にフェルト層及びそのフェルト層の表面と裏面をそれぞれ覆う表生地１３ａと裏生地１３ｂにより構成される。フェルト層は一枚の円弧状のフェルト片１３ｃから構成される。鍔部１３においてフェルト層、表生地１３ａ及び裏生地１３ｂはクラウン部１２の場合と同様の難燃性繊維が使用される。
【００１５】
防災帽子１１の内側には着用時頭部の汗を吸い取るために汗取り布１４が取り付けられている。汗取り布１４は環状に構成されクラウン部１２と鍔部１３との境界部において汗取り布１４の一辺が縫いつけられることにより取り付けられる。クラウン部１２の複数箇所に表生地１２ｂから裏生地１２ｃまで貫通する通気孔１２ｅが形成されている。防災帽子１１の内側には着用時に顎部に配される伸縮性の紐体１５が取り付けられている。紐体１５はその端部がクラウン部１２と鍔部１３との境界に縫いつけられることにより取り付けられる。
【００１６】
次に、防災帽子１１の製造方法について説明する。
まず、図４，５に示されるように所定の厚みを有するフェルトからクラウン部１２を構成する略三角形状のフェルト片１２ｄを６枚及び鍔部１３を構成する円弧状のフェルト片１３ｃが切り取られる。次に図６に示されるように６枚のフェルト片１２ｄがそれぞれの一つの角部が一点に揃えられ、隣接するフェルト片同士を縫い合わせ繋ぎ止めることにより半球状のフェルト層１２ａが形成される。鍔部用のフェルト片１３ｃが半球状のフェルト層１２ａの開口端部にフェルト片１３ｃの内周辺を縫い合わせることにより繋ぎ止められる。上記のように繋ぎ止められたクラウン部１２用のフェルト片１２ｄ及び鍔部１３用のフェルト片１３ｃはクラウン部１２用の表生地１２ｂと裏生地１２ｃ及び鍔部１３用の表生地１３ａと裏生地１３ｂにそれぞれ挟み込まれ縫い合わされる。最後に通気孔１２ｅが形成され汗取り布１４及び紐体１５がそれぞれ取り付けられることにより防災帽子１１が得られる。
【００１７】
本実施形態の防災帽子１１によれば、以下のような効果を得ることができる。
（１）本実施形態では、防災帽子１１を構成するフェルト片１２ｄ、表生地１２ｂ及び裏生地１２ｃを難燃性繊維により構成した。したがって、例えば通学用帽子等において日常容易に持ち運び可能で長時間使用可能な帽子において防災機能を高めることができる。
【００１８】
（２）本実施形態では、クラウン部１２をフェルト及び生地により構成した。したがって、樹脂を硬化させることにより製造されるヘルメット等と比較し、落とした時にひび割れ等は発生しない。また、使用時にクラウン部１２の内側に熱が溜まることがなく、また軽量に作成することができるため長時間使用することができる。また、変形による折り畳みが可能となるため持ち運びが容易となるとともに保管時も場所をとらない。
【００１９】
（３）本実施形態では、フェルト片１２ｄの厚みを１０ｍｍ〜２０ｍｍとした。したがって、外部からの衝撃を吸収することができると同時に防災帽子１１の柔軟性も確保することができる。
【００２０】
（４）本実施形態では、厚みが１０ｍｍ〜２０ｍｍである６枚の略三角形状のフェルト片１２ｄを縫製することによりクラウン部１２を略半球状に構成した。したがって、ミシンのふり幅、厚み等を改良することで市販のミシンを用いて製造することができる。そのため、防災帽子を安価に且つ容易に作成することができる。
【００２１】
（５）本実施形態では、難燃性繊維として難燃性のポリマーを共重合させたアクリル系合成繊維を使用した。質感、柔軟性及び耐久性の優れた帽子を作成することができる。
（６）本実施形態では、難燃性繊維としてモダクリル繊維を使用した。したがって、防災帽子を構成する素材を容易に入手することが可能であるため安価に防災帽子を作成することができる。
【００２２】
（７）本実施形態では、１ｍ2当たり２００〜４００ｇのフェルトを使用して防災帽子を構成した。したがって、外部からの衝撃を吸収することができると同時に軽量で長時間使用可能な防災帽子を作成することができる。
【００２３】
（８）本実施形態では、防災帽子１１を構成する鍔部１３も難燃性繊維で構成されるフェルト片１３ｃ、表生地１３ａ及び裏生地１３ｂを使用した。したがって、防災帽子１１の防災機能をさらに高めることができる。
【００２４】
（９）本実施形態では、クラウン部１２に複数の通気孔１２ｅを形成するとともに汗取り布１４をクラウン部１２の内側に取り付けた。したがって、特に夏季においても長時間快適に使用することができる。
【００２５】
（１０）本実施形態では、通学用の帽子に適用した。したがって、登校時、学内等において防災効果を高めることができる。
なお、上記実施形態は以下のように変更してもよい。
【００２６】
・鍔部１３及び汗取り布１４を取り付けず、クラウン部１２のみで防災帽子を構成してもよい。
・本実施形態ではクラウン部１２の開口端部に鍔部１３を繋ぎ止めた。しかしながら、鍔部１３の取り付け位置は庇効果を発揮することができる位置であればクラウン部１２の開口端部でなくてもよく開口端部の近傍であってもよい。
【００２７】
・クラウン部１２の表面のみ難燃性の表生地で覆い、裏面は難燃性の生地以外の生地で構成してもよい。また、クラウン部１２の裏面において裏生地１２ｃで覆うことなく、フェルト層１２ａの裏面が直接頭部に接するよう構成してもよい。
【００２８】
・クラウン部を構成するフェルトは単層でも複層でもよい。複層である場合同じ種類の繊維で構成されるフェルトを重ね合わせても異なる種類の繊維で構成されるフェルトを重ね合わせてもよい。
【００２９】
・本実施形態ではクラウン部１２を６枚の略三角形状のフェルト片１２ｄで構成した。しかしながら、クラウン部１２を構成する略三角形状のフェルトの数は複数枚であれば何枚でもよい。
【００３０】
・本実施形態では通学用のＣＡＰ型の帽子に適用した。しかしながら、帽子の型、種類等は特に限定されず、その他のＣＡＰ型の帽子、ソフト型帽子、ハンティング型帽子等であってもよい。
【００３１】
次に、上記実施形態及び別例から把握できる技術的思想について、それらの効果とともに以下に追記する。
（ａ）前記難燃性の繊維はモダクリル繊維である防災帽子。従って、この（ａ）に記載の発明によれば、防災帽子は質感及び柔軟性に優れるとともに安価に作成される。
【図面の簡単な説明】
【００３２】
【図１】本実施形態における防災帽子の上方からの斜視図。
【図２】本実施形態における防災帽子の下方からの斜視図。
【図３】クラウン部を構成する１枚のフェルト片。（ａ）側面図。（ｂ）平面図。
【図４】クラウン部を構成するフェルト片の展開図。
【図５】鍔部を構成するフェルト片の展開図。
【図６】クラウン部を構成するフェルト片が繋ぎ止められた状態の裏面図。
【符号の説明】
【００３３】
１１…防災帽子、１２…クラウン部、１２ａ…フェルト層、１２ｂ…表生地、１２ｃ…裏生地、１２ｄ…フェルト片、１３…鍔部
【図１】
2006283252.tif 000003
【図２】
2006283252.tif 000004
【図３】
2006283252.tif 000005
【図４】
2006283252.tif 000006
【図５】
2006283252.tif 000007
【図６】
2006283252.tif 000008